(57)【要約】【課題】雨が降っても、洗濯物が濡れるのを防止することができる物干し用雨よけ具を提供する。【解決手段】物干竿Ｐに上方から外嵌可能な中央山型弯曲板部１と、中央山型弯曲板部１から左右各方向に下傾状に延設された傾斜板部２とを有し、かつ、厚さ寸法Ｔが３mm〜６mmの透明乃至半透明の樹脂板から成る平面視矩形状の雨よけシート体３と、雨よけシート体３の中央山型弯曲板部１の内面に固設されると共に、物干竿Ｐに弾発的に挟持自在な物干竿弾発挟持部材５とを、具備している。【選択図】図１
0003204779.tif 000002
【実用新案登録請求の範囲】
【請求項１】
物干竿（Ｐ）に上方から外嵌可能な中央山型弯曲板部（１）と、該中央山型弯曲板部（１）から左右各方向に下傾状に延設された傾斜板部（２）とを有し、かつ、厚さ寸法（Ｔ）が３mm〜６mmの透明乃至半透明の樹脂板から成る平面視矩形状の雨よけシート体（３）と、
上記雨よけシート体（３）の上記中央山型弯曲板部（１）の内面（４）に固設されると共に、上記物干竿（Ｐ）に弾発的に挟持自在な物干竿弾発挟持部材（５）とを、
具備していることを特徴とする物干し用雨よけ具。
【請求項２】
物干竿（Ｐ）に上方から外嵌可能な中央山型弯曲板部（１）と、該中央山型弯曲板部（１）から左右各方向に下傾状に延設された傾斜板部（２）とを有し、かつ、厚さ寸法（Ｔ）が３mm〜６mmの透明乃至半透明の樹脂板から成る平面視矩形状の雨よけシート体（３）と、
上記雨よけシート体（３）の上記中央山型弯曲板部（１）の内面（４）に固設されると共に、上記物干竿（Ｐ）に弾発的に挟持自在な物干竿弾発挟持部材（５）とを、
具備し、
使用状態に於ける左右全体幅寸法（Ｗ1 ）が、上記物干竿（Ｐ）に懸架されるハンガー（Ｈ）の全幅（Ｗ0 ）の 105％〜 150％に設定されていることを特徴とする物干し用雨よけ具。
【考案の詳細な説明】
【技術分野】
【０００１】
本考案は、物干し用雨よけ具に関する。
【背景技術】
【０００２】
一般に、洗濯物を干す場合、洗濯物（衣類）をハンガーに掛けて、物干竿（例えば、特許文献１参照）に吊るす。
【０００３】
しかし、洗濯物を干した時には晴れていても、その後、外出中等に雨が降って、洗濯物が濡れてしまうことがあった。
【先行技術文献】
【特許文献】
【０００４】
【特許文献１】特開２００７−２９６２８９号公報
【考案の概要】
【考案が解決しようとする課題】
【０００５】
解決しようとする課題は、ハンガーを用いて物干竿に干した洗濯物が、外出中等に雨によって濡れる点である。
【課題を解決するための手段】
【０００６】
そこで、本考案に係る物干し用雨よけ具は、物干竿に上方から外嵌可能な中央山型弯曲板部と、該中央山型弯曲板部から左右各方向に下傾状に延設された傾斜板部とを有し、かつ、厚さ寸法が３mm〜６mmの透明乃至半透明の樹脂板から成る平面視矩形状の雨よけシート体と、上記雨よけシート体の上記中央山型弯曲板部の内面に固設されると共に、上記物干竿に弾発的に挟持自在な物干竿弾発挟持部材とを、具備しているものである。
また、使用状態に於ける左右全体幅寸法が、上記物干竿に懸架されるハンガーの全幅の 105％〜 150％に設定されているものである。
【考案の効果】
【０００７】
本考案の物干し用雨よけ具によれば、留守の間（外出中）に雨が降っても、洗濯物が濡れるのを防止することができる。また、天候不順で、晴れのち雨で、その後また晴れるような場合でも、そのまま洗濯物を干しておくことができる。さらに、夜露にも濡れにくい。また、簡単に取外すことができると共に、上方に雨を防ぐ物がないベランダや屋外に好適である。
【図面の簡単な説明】
【０００８】
【図１】本考案の実施の一形態の使用状態を示す斜視図である。
【図２】要部拡大断面図である。
【図３】使用状態を示す要部拡大断面図である。
【考案を実施するための形態】
【０００９】
以下、図示の実施の形態に基づいて本考案を詳説する。
図１は、本考案の実施の一形態の使用状態を示す。この物干し用雨よけ具は、雨の日に、物干竿Ｐに取着して、洗濯物（図示省略）が雨に濡れることを防止するために用いられる。平面視矩形状の雨よけシート体３と、雨よけシート体３に固設される物干竿弾発挟持部材５を、具備している。
【００１０】
雨よけシート体３は、透明乃至半透明の樹脂板から成る。雨よけシート体３は、例えば、ポリプロピレンから成る。雨よけシート体３は、物干竿Ｐに上方から外嵌可能な中央山型弯曲板部１と、中央山型弯曲板部１から左右各方向に下傾状に延設された傾斜板部２とを有する。
【００１１】
雨よけシート体３の厚さ寸法Ｔ（図２、図３参照）を３mm〜６mmに設定する。厚さ寸法Ｔが、３mm未満の場合、強度不足となり、風が吹いた際、雨よけシート体がめくれ上がる虞れがある。厚さ寸法Ｔが、６mmを超える場合、材料費が掛り、また、収納時にかさばる。
【００１２】
図２に示すように、物干竿弾発挟持部材５は、雨よけシート体３の中央山型弯曲板部１の内面４に固設される。物干竿弾発挟持部材５は、略倒立Ｕ字型であって、物干竿Ｐに弾発的に挟持自在に構成される。図１に示すように、物干竿弾発挟持部材５は、使用状態に於ける物干竿Ｐの長手方向に部分的に４つ（端部に２つ、及び、中間部に２つ）設けられる。図２に示すように、物干竿弾発挟持部材５と物干竿Ｐとの間には隙間がないが、図３に示すように、物干竿弾発挟持部材５が設けられていない部分には隙間Ｓがあり、この隙間ＳにハンガーＨを懸架部分Ｈ1 を配設することができる。
【００１３】
図３に示すように、使用状態に於ける左右全体幅寸法Ｗ1 が、物干竿Ｐに懸架されるハンガーＨの全幅Ｗ0 の 105％〜 150％に設定されている。幅寸法Ｗ1 が、ハンガーＨの全幅Ｗ0 の 105％未満の場合、洗濯物が雨に濡れる虞れがある。幅寸法Ｗ1 が、ハンガーＨの全幅Ｗ0 の 150％を超える場合、全体がかさばると共に、材料費が掛り、また、取付け取外し作業がやりにくくなる。また、風が吹いた際に、物干竿Ｐへの取着姿勢が傾く虞れがある。
【００１４】
なお、本考案は、設計変更可能であって、例えば、物干竿弾発挟持部材５を、２つ又は３つ、あるいは、５つ以上設けるも良い。
【００１５】
以上のように、本考案は、物干竿Ｐに上方から外嵌可能な中央山型弯曲板部１と、該中央山型弯曲板部１から左右各方向に下傾状に延設された傾斜板部２とを有し、かつ、厚さ寸法Ｔが３mm〜６mmの透明乃至半透明の樹脂板から成る平面視矩形状の雨よけシート体３と、上記雨よけシート体３の上記中央山型弯曲板部１の内面４に固設されると共に、上記物干竿Ｐに弾発的に挟持自在な物干竿弾発挟持部材５とを、具備しているので、留守の間（外出中）に雨が降っても、洗濯物が濡れるのを防止することができる。
【００１６】
また、雨よけシート体３が太陽の光を通すので、晴れている間は、洗濯物が（雨よけシート体３が不透明の場合と比較して）早く乾く。また、適度な強度を有するので、風が吹いても雨よけシート体３がめくれず、洗濯物が雨に濡れるのを確実に防止することができるとともに、収納時には、コンパクトに収納することができる。
【００１７】
また、天候不順で、晴れのち雨で、その後また晴れるような場合でも、そのまま洗濯物を干しておくことができる。さらに、夜露にも濡れにくい。また、簡単に取外すことができると共に、上方に雨を防ぐ物がないベランダや屋外に好適である。
【００１８】
また、使用状態に於ける左右全体幅寸法Ｗ1 が、上記物干竿Ｐに懸架されるハンガーＨの全幅Ｗ0 の 105％〜 150％に設定されているので、洗濯物が雨に濡れるのを確実に防止することができるとともに、雨よけシート体３が雨に濡れても、物干竿Ｐへの取着姿勢を保持することができる。
【符号の説明】
【００１９】
１  中央山型弯曲板部
２  傾斜板部
３  雨よけシート体
４  内面
５  物干竿弾発挟持部材
Ｈ  ハンガー
Ｐ  物干竿
Ｔ  厚さ寸法
Ｗ0   全幅
Ｗ1   （左右全体）幅寸法
【図１】
0003204779.tif 000003
【図２】
0003204779.tif 000004
【図３】
0003204779.tif 000005